(57)【特許請求の範囲】
【請求項１】
ポリエチレンテレフタレート、ポリプロピレン、ポリアミド又はポリカーボネートからなる厚み１０〜２０μｍの延伸フィルムと、このフィルムの片面に付設した加飾印刷と、その印刷面上に付設した厚み５〜２５μｍの遮光性樹脂フィルムとからなる積層フィルムであって、上記遮光性樹脂フィルムは少なくともα−オレフィンと不飽和カルボン酸又はアクリル酸エチルとの共重合体と酸化チタンとを含み、酸化チタンは遮光性樹脂中の２〜２０重量％を占めていることを特徴とする、食品貯蔵用容器の蓋。
【請求項２】
加飾印刷と遮光性樹脂フィルムとの間で、加飾印刷面側にさらにエチレン・アクリル酸エチル・無水マレイン酸の三元共重合体からなる厚み５〜２５μｍの接着フィルムを追加し、また遮光性樹脂フィルム側に５〜３０μｍのエチレン・ビニルアルコール共重合体又はメタキシリレンジアミン・アジピン酸重縮合体フィルムを追加したことを特徴とする、請求項１に記載の食品貯蔵用容器の蓋。
【請求項３】
遮光性樹脂フィルムの上にさらに厚み１０〜５０μｍのシーラントを形成したことを特徴とする、請求項１又は２に記載の食品貯蔵用容器の蓋。
【発明の詳細な説明】
【０００１】
【産業上の利用分野】
この発明は、食品貯蔵用容器の蓋に関するものである。
【０００２】
【従来の技術】
食品貯蔵用容器とは、ジャム、バター、カレールウのような食品を入れて販売するための容器である。従って、食品貯蔵用容器は、食品に接触しても食品に悪影響を及ぼさないだけでなく、食品を変質させないで永く貯蔵できるものである。
【０００３】
食品貯蔵用容器としては、古くは金属罐又はガラス壜が用いられた。しかし、最近は合成樹脂製のものが多く用いられるようになった。合成樹脂製の食品貯蔵用容器は、酸素又は水分遮断性にすぐれた色々な合成樹脂フィルムを貼り合わせてなる積層フィルムを材料とし、これを図４に示した容器の形に成形したものである。このような合成樹脂製の食品貯蔵用容器では、蓋として矢張り容器と同じように、色々な特性を持った合成樹脂フィルムを貼り合わせた積層フィルムが用いられている。
【０００４】
蓋として使用する合成樹脂の積層フィルムは、容器本体よりもさらに厳格な要件に適うものであることが要求される。例えば、蓋は食品を変質させないで永く貯蔵するに適した性能を持つだけでなく、美麗であって印刷することができ、容器本体と強く接着できるものであり乍ら、また手で容易に容器から引き離すことができ、さらにその引き離しの際には、蓋自体が破れることなく、また蓋自体を構成する積層フィルムが剥がれることもない、というようなことが要求される。
【０００５】
このような要求を満たすものとして、特公平４−６８２２８号公報は、エチレン・ビニルアルコール共重合体フィルムを主体とした積層フィルムを用いることを提案している。すなわち、この公報は、ガスバリヤ性（云いかえると酸素遮断性）に富んだエチレン・ビニルアルコール共重合体フィルムを主体とし、これに接着力の強いエチレン・無水マレイン酸・アクリル酸エチルの三元共重合体フィルムを介して、機械的強度の大きいポリプロピレン又はポリエステルの延伸フィルムを貼り合わせ、この延伸フィルムに印刷又は金属蒸着を施して光の透過を少なくし、延伸フィルムの上にシーラントを付着させて積層フィルムとし、これを食品貯蔵用容器の蓋として用いることを提案している。
【０００６】
この提案によれば、エチレン・ビニルアルコール共重合体は吸水性が大きいという欠点を持ち、ポリプロピレンはガス透過性が大きいという欠点を持つところ、これらを積層することによって、それぞれの欠点を互いに補わせ、積層フィルムとしては、酸素も水分も何れも効率よく遮断できるものとして、食品貯蔵用容器の蓋として満足なものを得ている。ところが、実際に使用した結果では、この提案によっても、食品を永く変質させないで貯蔵することができず、従ってさらに改善する必要があった。
【０００７】
【発明が解決しようとする課題】
この発明は、特公平４−６８２２８号公報が提案している食品貯蔵用容器の蓋を改良し、食品を変質させないでさらに永く貯蔵できるような蓋を提供しようとするものである。
【０００８】
【課題解決のための手段】
上述の課題を解決するためには、特公平４−６８２２８号公報の提案している蓋が、なぜ食品を永く貯蔵できないこととなるか、を突き止めなければならない。
【０００９】
この発明者は、種々実験を重ねた結果、特公平４−６８２２８号公報では、光の透過を少なくするために、延伸フィルムに印刷又は金属蒸着を施しているが、印刷や金属蒸着を施したフィルムでは、光の透過を充分に防ぎ得ないのではないかと考えた。すなわち、印刷面又は金属蒸着面には必ずピンホールが存在するために、光の遮断が充分に行われていないことが原因ではないかと考えた。
【００１０】
そこで、この発明者は、蓋に光の遮断層を設けることを試みた。光の遮断層としては、白色顔料を混合した熱可塑性合成樹脂のフィルムを用いることとした。また、白色顔料としては炭酸カルシウム、酸化亜鉛、リトホン等色々なものがあるが、その中では酸化チタンが最適であることを見出した。
【００１１】
また、この発明者は、光の遮断層を形成する樹脂としては、接着性の樹脂、すなわち、少なくともα−オレフィンと不飽和カルボン酸又はアクリル酸エチルとを成分として共重合させた共重合体が最適であることを見出した。その樹脂は、例えばエチレン・無水マレイン酸の共重合体、又はこれにアクリル酸エチルが加えられた三元共重合体である。
【００１２】
また、この発明者は、光の遮断性を持った蓋としては、樹脂組成物からなるフィルムの中で酸化チタンが２〜２０重量％を占めるのが適していることを見出した。
【００１３】
さらに、この発明者は、上述のような割合で酸化チタンが含まれている層を用いると、蓋を構成する樹脂について、酸素又は水分の遮断性を問題にする必要のなくなることを見出した。すなわち、酸素遮断性にすぐれたエチレン・ビニルアルコール共重合体フィルムや、水分遮断性の大きいポリオレフィンフィルムを必ずしも使用する必要のないことを見出した。反面、機械的強度の強い延伸フィルムは、これを使用することが必要であることを見出した。この発明は、このような知見に基づいて完成されたものである。
【００１４】
この発明は、ポリエチレンテレフタレート、ポリプロピレン、ポリアミド又はポリカーボネートからなる厚み１０〜２０μｍの延伸フィルムと、このフィルムの片面に付設した加飾印刷と、その印刷面上に付設した厚み５〜２５μｍの遮光性樹脂フィルムとからなる積層フィルムであって、上記遮光性樹脂フィルムは少なくともα−オレフィンと不飽和カルボン酸又はアクリル酸エチルとの共重合体と、酸化チタンとを含み、酸化チタンは遮光性樹脂中の２〜２０重量％を占めていることを特徴とする、食品貯蔵用容器の蓋を提供するものである。
【００１５】
この発明を実施の一例につき図面に基づいて説明すると、次のとおりである。図１は、この発明に係る食品貯蔵用容器の蓋の分解断面図である。図２は、この発明に係る他の食品貯蔵用容器の蓋の分解断面図である。図３は、この発明に係るさらに別の食品貯蔵用容器の蓋の分解断面図である。
【００１６】
図１において、１は延伸フィルムであり、２は加飾印刷であり、３は遮光性樹脂フィルムである。この発明に係る蓋は、この３種の層をこの順序に貼り合わせてなるものである。
【００１７】
延伸フィルム１は、ポリエチレンテレフタレート、ポリプロピレン、ポリアミド又はポリカーボネートから成るフィルムで、その厚みは１０〜２０μｍであり、延伸されて抗張力などの機械的強度が大きくなっているものである。
【００１８】
加飾印刷２は、容器全体を美しく見せるため、又は食品の性質又は成分などを説明するためのものである。その厚みは通常数μｍである。
【００１９】
遮光性樹脂フィルム３は、２〜２０重量％の酸化チタンを含んだ接着性樹脂からなるものである。接着性樹脂は少なくともα−オレフィンと不飽和カルボン酸又はアクリル酸エチルとを成分とした共重合体である。この共重合体は、α−オレフィンと不飽和カルボン酸又はアクリル酸エチルとの２成分だけであってもよいが、また、これらの成分と共重合できる他の第３成分を含んでいてもよい。その厚みは５〜２５μｍである。
【００２０】
接着性樹脂の成分をなすα−オレフィンは、エチレンであってもよく、またプロピレンでもブチレンであってもよい。また、接着性樹脂の成分をなす不飽和カルボン酸は、無水マレイン酸が代表的なものであるが、そのほか、フマール酸、イタコン酸などであってもよい。
【００２１】
接着性樹脂としてとくに好適なものは、エチレン・アクリル酸エチル・無水マレイン酸の三元共重合体である。そのほか成分はよく分らないが、三菱化学社からモディックの名称で販売され、三井化学社からアドマーの名称で販売されているものも好適である。
【００２２】
遮光性樹脂フィルム３は酸化チタンを２〜２０重量％含んだものとする。その理由は、酸化チタンが２重量％未満では光の遮断性を充分発揮させることができないからであり、逆に酸化チタンが２０重量％を越えると、フィルムとして成形し難くなるとともに、フィルムが脆くなるなど機械的性質の劣ったものとなるからである。
【００２３】
酸化チタンは光触媒として働き、また抗菌性を示すなど特異な性質を持っている。このような性質が、食品貯蔵用容器の蓋として働くものであるかどうかは定かでないが、何れにしても酸化チタンを接着性樹脂に添加して得られた遮光性樹脂フィルムが積層されたものを蓋として用いると、蓋を構成するその他の樹脂にガスバリヤ性や水分遮断性の必要なことを考慮する必要がなくなる。従って、機械的に強靭なフィルムを遮光性樹脂フィルムに貼り合わすだけで、食品を変質させないで永く貯蔵できるものとなる。
【００２４】
もっとも、この発明に係る蓋においても、ガスバリヤ性の良好な樹脂を用いることは妨げない。例えば図２に示したように加飾印刷した面２と遮光性樹脂フィルム３との間にガスバリヤ性の良好な樹脂フィルム５を加えてもよい。
【００２５】
ガスバリヤ性の良好な樹脂としては、エチレン・ビニルアルコールの共重合体又はメタキシリレンジアミン・アジピン酸重縮合体を用いることができる。上記の共重合体は、例えば日本合成社からソアノール、クラレ社からエバールの名称で販売されているものを用いることができる。この樹脂は３０％のエチレンと７０％のビニルアルコールとの共重合体だと云われている。また、上記の重縮合体は、
0004090271.tif 000002
の構造式で示されるものである。
【００２６】
エチレン・ビニルアルコール共重合体又はメタキシリレンジアミン・アジピン酸重縮合体は、加飾印刷面２に対して接着力が弱いものであるから、この共重合体を用いるときは、接着を良好にするために、図２に示したように、印刷面２とガスバリヤ性の良好な樹脂フィルム５との間に、接着性樹脂フィルム４を介在させる必要がある。接着性樹脂フィルム４としては、前述のα−オレフィンと不飽和カルボン酸又はアクリル酸エチルとの共重合体、又はエチレン・アクリル酸エチル・無水マレイン酸の三元共重合体を用いるのが適している。
【００２７】
この発明に係る蓋は、食品を収容した状態では容器本体へ気密に強固に接着させなければならず、また食品を取り出す時には、容器本体から容易に引き剥がせるものでなければならない。このために、図３に示したように遮光性樹脂フィルム３にさらにシーラント層６が設けられる。シーラントは気密性接着剤であって、上述の接着性樹脂よりも接着力の弱いものである。シーラントの厚みは１０〜５０μｍとするのが適している。シーラントとしては、例えば三菱化学社からＶＭＸの名称で販売されているものを用いることができる。
【００２８】
この発明に係る蓋は、延伸フィルム製造用の第１の押出機と、印刷機と、遮光性樹脂フィルム製造用の第２の押出機とを並べて、第１の押出機により延伸フィルムを製造し、引き続いてこれに加飾印刷を施し、第２の押出機で製造された遮光性樹脂フィルムと積層し貼り合わせることにより、容易に能率よく製造することができる。
【００２９】
また、エチレン・ビニルアルコール共重合体又はメタキシリレンジアミン・アジピン酸重縮合体フィルムを追加するときは、接着フィルム製造用の第３の押出機を加えて、上記共重合体フィルム上に接着フィルムを形成し、これを上述の第１及び第２の押出機で製造されたフィルムの間に挟んで積層することにより、容易に能率よく製造することができる。
【００３０】
さらに、必要によりシーラント層を加える場合には、シーラントフィルム製造用の第４の押出機を加えて、上で得られた積層フィルムにシーラントフィルムを貼り合わせて蓋とすることができる。
【００３１】
【発明の効果】
この発明によれば、ポリエチレンテレフタレート、ポリプロピレン、ポリアミド又はポリカーボネートからなる厚み１０〜２０μｍの延伸フィルムを構成材として用いるので、得られた積層フィルムは適度の可撓性と充分な機械的強度を持ったものとなり蓋としての使用に耐え、食品取り出し時には引き剥がすに適したものとなる。また、上記延伸フィルムの片面に加飾印刷を施しているので、蓋として必要な表示をすることができ、また美麗なものとすることができる。
【００３２】
さらに、印刷面上に厚み５〜２５μｍの遮光性樹脂フィルムを設けたので、印刷面を保護することができるとともに、容器内に貯蔵された食品の変質を防ぐことができる。しかも、遮光性樹脂フィルムは２〜２０重量％の酸化チタンを含んでいるので、遮光が充分であるとともにフィルムとしても強靭であり、その上に酸化チタンのために、食品の変質が一層確実に防がれる。
【００３３】
また、遮光性樹脂は、少なくともα−オレフィンと不飽和カルボン酸又はアクリル酸エチルとの共重合体であるから、印刷を施したポリエチレンテレフタレート、ポリプロピレン、ポリアミド又はポリカーボネートからなる延伸フィルムと強く接着する。このため、遮光性樹脂フィルムを上記の延伸フィルムと貼り合わせて作られたこの発明に係る積層フィルムは、容易に剥がれない強靭な一体フィルムとなっている。従って上述のようにこの積層フィルムは食品貯蔵用容器の蓋として好適なものとなっている。
【図面の簡単な説明】
【図１】この発明に係る食品貯蔵用容器の蓋の分解断面図である。
【図２】この発明に係る他の食品貯蔵用容器の蓋の分解断面図である。
【図３】この発明に係るさらに別の食品貯蔵用容器の蓋の分解断面図である。
【図４】この発明に係る食品貯蔵用容器の蓋の使用状態断面図である。
【符号の説明】
１                            延伸フィルム
２                            加飾印刷
３                            遮光性樹脂フィルム
４                            接着性樹脂フィルム
５                            ガスバリヤ性の良好な樹脂フィルム
６                            シーラント層
【図１】
0004090271.tif 000003
【図２】
0004090271.tif 000004
【図３】
0004090271.tif 000005
【図４】
0004090271.tif 000006